(57)【要約】【課題】  新しいディジタルオーディオ規格に対してＤＶＤプレーヤ等の信号処理装置内の復号装置にて、ＩＥＣ６１９３７規格に規定されたディジタルオーディオ信号へ変換する復号装置を提供する。【解決手段】  入力されたオーディオ信号に対して、ヘッダフォーマット情報判別部２１０でヘッダフォーマット情報を読み取り、ＩＥＣ６１９３７規格に適合したストリームかを判別する。判別したデータから、ヘッダフォーマット情報変換部２２０にて、ＩＥＣ６１９３７規格に適合していないストリームに対しては、シンクワード、サンプリング周波数、チャンネル数、オーディオデータの長さ情報を取得又は作成し、ＩＥＣ６１９３７規格に規定されたヘッダフォーマット情報に変換し、変換されたストリームをディジタルオーディオ信号出力部１４０から出力させる。【選択図】  図１
2006317575.tif 000002
【特許請求の範囲】
【請求項１】
符号化された第１のディジタルオーディオ信号を入力する入力部と、
前記第１のディジタルオーディオ信号が所定のディジタルインターフェース規格に対応しているかを判別する判別部と、
前記第１のディジタルオーディオ信号が前記ディジタルインターフェース規格に対応していない場合には、前記第１のディジタルオーディオ信号を前記ディジタルインターフェース規格に対応した第２のディジタルオーディオ信号に変換する変換部と、
前記第２のディジタルオーディオ信号を出力する出力部とを備えたことを特徴とするオーディオ復号装置。
【請求項２】
請求項１記載のオーディオ復号装置において、
前記変換部は、前記第１のディジタルオーディオ信号のヘッダフォーマット情報のみを変換することを特徴とするオーディオ復号装置。
【請求項３】
請求項２記載のオーディオ復号装置において、
前記第１のディジタルオーディオ信号はＭＰＥＧ−４ ＡＡＣの貯蓄型又は多重チャンネル型であり、前記第２のディジタルオーディオ信号はＭＰＥＧ−４ ＡＡＣの伝送型であることを特徴とするオーディオ復号装置。
【請求項４】
請求項１記載のオーディオ復号装置において、
前記第１のディジタルオーディオ信号の符号化方式はＭＰＥＧ−４ ＡＡＣであり、前記第２のディジタルオーディオ信号の符号化方式はＭＰＥＧ−２ ＡＡＣであることを特徴とするオーディオ復号装置。
【発明の詳細な説明】
【技術分野】
【０００１】
本発明は、ＭＰＥＧ（Moving Picture Experts Group）、ｄｔｓ（digital theater systems）等のディジタルオーディオ信号の復号装置に関するものである。
【背景技術】
【０００２】
近年、ＤＶＤ（ディジタル多用途ディスク）やＢＳディジタル放送の発達に伴い、ＡＶ（オーディオ・ビジュアル）アンプと呼ばれるオーディオ信号処理装置にも復号装置が設けられている。例えば、最近のＤＶＤプレーヤ等の信号処理装置には、ディジタルオーディオ信号を出力させるためのＩＥＣ６１９３７規格に基づく出力端子がある。また、オーディオ信号処理装置にもＩＥＣ６１９３７規格に基づく入力端子が設けられており、この端子を介してディジタルオーディオ信号を受信して復号化している（非特許文献１〜３参照）。
【非特許文献１】ＩＳＯ／ＩＥＣ １３８１８−７
【非特許文献２】ＩＳＯ／ＩＥＣ １４４９６−３
【非特許文献３】ＩＥＣ ６１９３７−６
【発明の開示】
【発明が解決しようとする課題】
【０００３】
しかしながら、ディジタルオーディオ技術の発達に伴い、新しいディジタルオーディオ規格が次々に登場し、ＩＥＣ６１９３７規格に対応していないディジタルオーディオ規格が存在している。その例として、ＭＰＥＧ−４ ＡＡＣ（ＩＳＯ／ＩＥＣ １４４９６−３）の貯蓄型（ＡＤＩＦ、ＭＰ４ＦＦ）や、多重チャンネル型（ＬＡＴＭ）を挙げることができる。
【０００４】
このような新しいディジタルオーディオ規格の登場により、既存のオーディオ信号処理装置内の復号装置では対応できない状況が発生している。
【０００５】
本発明の目的は、入力されたディジタルオーディオ信号を所定のディジタルインターフェース規格に対応したディジタルオーディオ信号に変換することができるオーディオ復号装置を提供することにある。
【課題を解決するための手段】
【０００６】
上記目的を達成するため、本発明に係るオーディオ復号装置は、符号化された第１のディジタルオーディオ信号を入力する入力部と、前記第１のディジタルオーディオ信号が所定のディジタルインターフェース規格に対応しているかを判別する判別部と、前記第１のディジタルオーディオ信号が前記ディジタルインターフェース規格に対応していない場合には、前記第１のディジタルオーディオ信号を前記ディジタルインターフェース規格に対応した第２のディジタルオーディオ信号に変換する変換部と、前記第２のディジタルオーディオ信号を出力する出力部とを備えた構成を採用したものである。
【発明の効果】
【０００７】
本発明によれば、新しいディジタルオーディオ規格に準拠した入力に対しても、例えばＩＥＣ６１９３７規格に対応した出力を得ることが可能となる。
【発明を実施するための最良の形態】
【０００８】
以下、図面を参照しながら、本発明の実施形態について説明する。
【０００９】
図１は、第１の実施形態の構成を示すブロック図である。図１のオーディオ復号装置は、ＭＰＥＧ−４ ＡＡＣのヘッダフォーマット情報変換復号装置１００として構成されたものであって、ディジタルオーディオ信号の入力部１１０と、復号部１２０と、ＰＣＭ（Pulse Code Modulation）出力部１３０とに加えて、ヘッダフォーマット情報判別部２１０と、ヘッダフォーマット情報変換部２２０と、ディジタルオーディオ信号出力部１４０とを備えている。
【００１０】
図１によれば、ヘッダフォーマット情報判別部２１０は、入力部１１０を介して入力されたディジタルオーディオ信号からヘッダフォーマット情報を読み取り、ＩＥＣ６１９３７規格に規定されているストリームかをヘッダフォーマット情報から判別し、ヘッダフォーマット情報変換部２２０へ出力する。ヘッダフォーマット情報変換部２２０は、ＩＥＣ６１９３７規格に規定されていないストリーム（例えば、貯蓄型：ＡＤＩＦ，ＭＰ４ＦＦ、多重チャンネル型：ＬＡＴＭ）に対して、シンクワード、サンプリング周波数、チャンネル数、オーディオデータの長さ情報を取得又は作成し、ＩＥＣ６１９３７規格に規定されたヘッダフォーマット情報に変換し、変換したストリーム（伝送型：ＡＤＴＳ）をディジタルオーディオ信号出力部１４０へ送る。ディジタルオーディオ信号出力部１４０は、ディジタルオーディオ信号を出力する部分である。
【００１１】
図２は、第２の実施形態の構成を示すブロック図である。図２のオーディオ復号装置は、ＭＰＥＧ−２ ＡＡＣ ＬＣへの変換を実行するディジタルオーディオフォーマット変換復号装置２００として構成されたものであって、図１中のヘッダフォーマット情報変換部２２０がディジタルオーディオフォーマット変換部２３０に置き換えられている。
【００１２】
図２によれば、ヘッダフォーマット情報判別部２１０は、入力部１１０を介して入力されたディジタルオーディオ信号からヘッダフォーマット情報を読み取り、符号化方式（ＭＰＥＧ−４ ＡＡＣ ＬＣ）を特定し、ディジタルオーディオフォーマット変換部２３０へ出力する。ディジタルオーディオフォーマット変換部２３０は、特定された符号化方式のディジタルオーディオ信号よりシンクワード、サンプリング周波数、チャンネル数、オーディオデータの長さ情報を取得又は作成し、更にＰＮＳ情報の認識部とその情報内容とを変更することで、ＭＰＥＧ−２ ＡＡＣ ＬＣに準拠したストリームへ変換し、変換したデータをディジタルオーディオ信号出力部１４０へ送る。ディジタルオーディオ信号出力部１４０は、ディジタルオーディオ信号を出力する部分である。
【産業上の利用可能性】
【００１３】
以上説明してきたとおり、本発明におけるオーディオ復号装置は、ＩＥＣ６１９３７規格のみに準拠したＡＶアンプでも受信可能なディジタルオーディオ信号へ変換できるという実用性の高い効果が得られることから、ＤＶＤプレーヤ等におけるオーディオ復号装置として有用であり、産業上の利用可能性が高い。
【図面の簡単な説明】
【００１４】
【図１】本発明の第１の実施形態の構成を示すブロック図である。
【図２】本発明の第２の実施形態の構成を示すブロック図である。
【符号の説明】
【００１５】
１００  ヘッダフォーマット情報変換復号装置
１１０  入力部
１２０  復号部
１３０  ＰＣＭ出力部
１４０  ディジタルオーディオ信号出力部
２００  ディジタルオーディオフォーマット変換復号装置
２１０  ヘッダフォーマット情報判別部
２２０  ヘッダフォーマット情報変換部
２３０  ディジタルオーディオフォーマット変換部
【図１】
2006317575.tif 000003
【図２】
2006317575.tif 000004